(57)【特許請求の範囲】
【請求項１】
圧縮機、熱源側熱交換器、絞り装置、および、熱媒体間熱交換器の熱源側冷媒流路が直列に配管接続され、熱源側冷媒を循環させる熱源側冷媒循環回路と、
ポンプ、室内空間を空調する利用側熱交換器、および、前記熱媒体間熱交換器の熱媒体流路が直列に配管接続され、かつ、ポンプ、熱回収用熱交換器、および、前記熱媒体間熱交換器の熱媒体流路が直列に配管接続され、熱媒体を循環させる熱媒体循環回路と、を備え、
前記利用側熱交換器を複数有し、
前記熱源側冷媒循環回路と前記熱媒体循環回路とは、前記熱媒体間熱交換器で前記熱源側冷媒と前記熱媒体とが熱交換を行うようにカスケード接続され、
前記利用側熱交換器において冷房運転と暖房運転とが混在する冷房暖房混在運転モードを備え、
前記熱回収用熱交換器は、
前記熱媒体に熱を回収し、その回収した熱を前記利用側熱交換器に供給するものであり、
冷房暖房混在運転モードにおいて、
冷房負荷の方が大きい場合、冷房側の負荷を前記熱源側冷媒から供給される熱で、暖房側の負荷を前記熱回収用熱交換器で回収された熱で、それぞれ賄い、
暖房負荷の方が大きい場合、暖房側の負荷を前記熱源側冷媒から供給される熱で、冷房側の負荷を前記熱回収用熱交換器で回収された熱で、それぞれ賄う
ことを特徴とする空気調和装置。
【請求項２】
前記熱回収用熱交換器は、
外気と熱交換して前記熱媒体に熱を回収する
ことを特徴とする請求項１に記載の空気調和装置。
【請求項３】
ボイラーを備え、
前記熱回収用熱交換器は、
前記ボイラーの排熱と熱交換して前記熱媒体に熱を回収する
ことを特徴とする請求項１に記載の空気調和装置。
【請求項４】
前記熱回収用熱交換器は、
水と熱交換して前記熱媒体に熱を回収する
ことを特徴とする請求項１に記載の空気調和装置。
【請求項５】
前記熱回収用熱交換器は、
前記室内空間から排出される空気と熱交換して前記熱媒体に熱を回収する
ことを特徴とする請求項１に記載の空気調和装置。
【請求項６】
前記利用側熱交換器は、
前記熱源側冷媒から供給される熱と、前記熱回収用熱交換器側から供給される熱との両方で前記室内空間を空調する
ことを特徴とする請求項１〜５のいずれか一項に記載の空気調和装置。
【請求項７】
前記利用側熱交換器は、
前記熱源側冷媒から供給される熱と、前記熱回収用熱交換器側から供給される熱とが、一定時間毎に切り替えられ、
いずれか一方の熱で前記室内空間を空調する
ことを特徴とする請求項１〜５のいずれか一項に記載の空気調和装置。
【請求項８】
前記利用側熱交換器は、
空調負荷の高低に応じて前記熱源側冷媒から供給される熱と、前記熱回収用熱交換器側から供給される熱とが切り替えられ、
いずれか一方の熱で前記室内空間を空調する
ことを特徴とする請求項１〜５のいずれか一項に記載の空気調和装置。
【請求項９】
前記利用側熱交換器が搭載された室内機の吸い込み温度と前記熱回収用熱交換器が搭載された外気熱回収機の吸い込み温度との差から、
前記熱回収用熱交換器が熱交換するかどうかを判断する
ことを特徴とする請求項２または請求項２に従属する請求項３〜８のいずれか一項に記載の空気調和装置。
【請求項１０】
前記利用側熱交換器が搭載された室内機の設定温度と該室内機の吸い込み温度との差から、
空調負荷の高低を判断する
ことを特徴とする請求項８または請求項８に従属する請求項９に記載の空気調和装置。
【請求項１１】
前記熱源側冷媒は、Ｒ３２冷媒である
ことを特徴とする請求項１〜１０のいずれか一項に記載の空気調和装置。
【請求項１２】
複数の運転モードを有し、
運転状況に応じて前記運転モードを変更する
ことを特徴とする請求項１〜１１のいずれか一項に記載の空気調和装置。
【発明の詳細な説明】
【技術分野】
【０００１】
本発明は、たとえばビル用マルチエアコンなどに適用される空気調和装置に関するものである。
【背景技術】
【０００２】
従来の空気調和装置において、ビル用マルチエアコンなどのように、熱源機（室外機）が建物外に配置され、室内機が建物の室内に配置されたものがある。このような空気調和装置の冷媒回路を循環する冷媒は、室内機の熱交換器に供給される空気に放熱または吸熱し、当該空気を加熱または冷却する。そして、その加熱または冷却された空気が、空調対象空間に送り込まれて暖房または冷房が行われるようになっている。【０００３】
このようなビル用マルチエアコンにおける室内機は、人が居る室内空間（たとえば、オフィス、居室、店舗など）に配置されて利用されることが一般的である。そのため、何らかの原因によって室内空間に配置された室内機から冷媒が漏れた場合、冷媒の種類によっては引火性、有毒性を有しているため、人体への影響および安全性の観点から問題となる。また、人体に有害ではない冷媒であったとしても、冷媒漏れによって室内空間の酸素濃度が低下し、人体に影響を及ぼすことが想定される。
このような問題に対応するため、空気調和装置に２次ループ方式を採用し、熱源機側である１次ループ（室外機系統）には冷媒を循環させ、利用側である２次ループ（室内機系統）には有害でない水やブライン（以下、熱媒体と称する）を用いて人が居る室内空間を空調することが考えられる（たとえば、特許文献１参照）。
【先行技術文献】
【特許文献】
【０００４】
【特許文献１】ＷＯ２０１０／４９９９８号（たとえば、［０００７］参照）
【発明の概要】
【発明が解決しようとする課題】
【０００５】
特許文献１に記載のような空気調和装置において、室内機はすべて冷暖房など利用側として使用されるため、熱源機側の１次ループからの熱供給に依存していた。【０００６】
本発明は、以上のような課題を解決するためになされたもので、１次ループの冷媒と熱交換した２次ループの熱媒体を、各室内機に供給する熱媒体変換器において、各室内機の一部を室外空気やボイラーなどの排熱、換気時の室内排熱再利用などによる熱回収機（他熱源）として使用し、その熱回収分を冷暖房に利用することで効率をよくする空気調和装置を提供することを目的としている。
【課題を解決するための手段】
【０００７】
本発明に係る空気調和装置は、圧縮機、熱源側熱交換器、絞り装置、および、熱媒体間熱交換器の熱源側冷媒流路が直列に配管接続され、熱源側冷媒を循環させる熱源側冷媒循環回路と、ポンプ、室内空間を空調する利用側熱交換器、および、前記熱媒体間熱交換器の熱媒体流路が直列に配管接続され、かつ、ポンプ、熱回収用熱交換器、および、前記熱媒体間熱交換器の熱媒体流路が直列に配管接続され、熱媒体を循環させる熱媒体循環回路と、を備え、前記利用側熱交換器を複数有し、前記熱源側冷媒循環回路と前記熱媒体循環回路とは、前記熱媒体間熱交換器で前記熱源側冷媒と前記熱媒体とが熱交換を行うようにカスケード接続され、前記利用側熱交換器において冷房運転と暖房運転とが混在する冷房暖房混在運転モードを備え、前記熱回収用熱交換器は、前記熱媒体に熱を回収し、その回収した熱を前記利用側熱交換器に供給するものであり、冷房暖房混在運転モードにおいて、冷房負荷の方が大きい場合、冷房側の負荷を前記熱源側冷媒から供給される熱で、暖房側の負荷を前記熱回収用熱交換器で回収された熱で、それぞれ賄い、暖房負荷の方が大きい場合、暖房側の負荷を前記熱源側冷媒から供給される熱で、冷房側の負荷を前記熱回収用熱交換器で回収された熱で、それぞれ賄うものである。
【発明の効果】
【０００８】
本発明に係る空気調和装置によれば、室外機などの熱源側冷媒と熱回収機などの他熱源を併用することにより、負荷と効率の両方を満たした空調が可能である。
【図面の簡単な説明】
【０００９】
【図１】本発明の実施の形態に係る空気調和装置の設置例を示す概略図である。
【図２】本発明の実施の形態に係る空気調和装置の冷媒回路構成例である。
【図３】本発明の実施の形態に係る空気調和装置の運転モード一覧である。
【図４】図２に示す空気調和装置の全冷房運転モード時（パターン１）における冷媒の流れを示す冷媒回路図である。
【図５】図２に示す空気調和装置の全冷房運転（暫定）モード時（パターン２）における冷媒の流れを示す冷媒回路図である。
【図６】図２に示す空気調和装置の全暖房運転モード時（パターン３）における冷媒の流れを示す冷媒回路図である。
【図７】図２に示す空気調和装置の全暖房運転（暫定）モード時（パターン４）における冷媒の流れを示す冷媒回路図である。
【図８】図２に示す空気調和装置の冷房主体運転モード時（パターン５）における冷媒の流れを示す冷媒回路図である。
【図９】図２に示す空気調和装置の暖房主体運転モード時（パターン６）における冷媒の流れを示す冷媒回路図である。
【図１０】図２に示す空気調和装置の全冷房運転（外気補助のみ）モード時（パターン７）における冷媒の流れを示す冷媒回路図である。
【図１１】図２に示す空気調和装置の全暖房運転（外気補助のみ）モード時（パターン８）における冷媒の流れを示す冷媒回路図である。
【図１２】図２に示す空気調和装置の冷房主体運転（外気補助あり）モード時（パターン９）における冷媒の流れを示す冷媒回路図である。
【図１３】図２に示す空気調和装置の暖房主体運転（外気補助あり）モード時（パターン１０）における冷媒の流れを示す冷媒回路図である。
【図１４】図２に示す空気調和装置の全冷房運転（熱回収あり）モード時（パターン１１）における冷媒の流れを示す冷媒回路図である。
【図１５】図２に示す空気調和装置の全暖房運転（熱回収あり）モード時（パターン１２）における冷媒の流れを示す冷媒回路図である。
【図１６】本発明の実施の形態に係る空気調和装置の運転モード切替フローチャートの一例である。
【発明を実施するための形態】
【００１０】
以下、本発明の実施の形態を図面に基づいて説明する。なお、以下に説明する実施の形態によって本発明が限定されるものではない。また、以下の図面では各構成部材の大きさの関係が実際のものとは異なる場合がある。
実施の形態．
図１は、本発明の実施の形態に係る空気調和装置１００の設置例を示す概略図である。
以下、図１に基づいて空気調和装置１００の設置例について説明する。
この空気調和装置１００は、冷媒を循環させる冷凍サイクルを有しており、室内機２ａ、２ｂは運転モードとして、冷房モードまたは暖房モードを自由に選択できるものである。また、換気熱回収機２ｃは（室内から室外への）換気空気と熱交換し、換気空気から冷熱または温熱を回収するものであり、外気熱回収機２ｄは（室外から室内への）室外空気と熱交換し、室外空気から冷熱または温熱を回収するものである。
本実施の形態に係る空気調和装置１００は、冷媒としてたとえばＲ−２２、Ｒ−３２、Ｒ−１３４ａなどの単一冷媒、Ｒ−４１０Ａ、Ｒ−４０４Ａなどの擬似共沸混合冷媒、Ｒ−４０７Ｃなどの非共沸混合冷媒、化学式内に二重結合を含むＣＦ３ＣＦ＝ＣＨ２などの地球温暖化係数が比較的小さい値とされている冷媒やその混合物、あるいはＣＯ２やプロパンなどの自然冷媒が採用されている。そして、それら自然冷媒が採用された熱源側冷媒循環回路Ａ（以下、１次ループとも称する）、および熱媒体として水などが採用された熱媒体循環回路Ｂ（以下、２次ループとも称する）を有している（図２参照）。
【００１１】
本実施の形態に係る空気調和装置１００は、冷媒（以下、熱源側冷媒と称する）を間接的に利用する方式（間接方式）を採用している。すなわち、熱源側冷媒に貯えた冷熱または温熱を熱源側冷媒とは異なる冷媒（以下、熱媒体と称する）に伝達し、熱媒体に貯えた冷熱または温熱で空調対象空間を冷房または暖房する。また、熱媒体を室外空気、室内空気、ボイラー排熱などの別熱源と直接熱交換して、熱媒体に冷熱または温熱を貯えることができる。
【００１２】
図１に示すように、本実施の形態に係る空気調和装置１００は、熱源機である１台の室外機１と、複数台（本実施の形態では２台）の室内機２ａ、２ｂ（以下、単に室内機２と称することがある）、換気熱回収機２ｃ、外気熱回収機２ｄ、および室外機１と室内機２、換気熱回収機２ｃ、外気熱回収機２ｄとの間それぞれに介在する熱媒体変換機３と、を有している。熱媒体変換機３は、熱源側冷媒と熱媒体とで熱交換を行うものである。室外機１と熱媒体変換機３とは、熱源側冷媒を循環させるための冷媒配管４で接続されている。熱媒体変換機３と室内機２、換気熱回収機２ｃ、および外気熱回収機２ｄとは、熱媒体を循環させるための熱媒体配管５で接続されている。そして、室外機１で生成された冷熱あるいは温熱は、熱媒体変換機３を介して室内機２ａ、２ｂに配送されるようになっている。また、室内の空気と室外の空気で温度差があり、室内を室外の温度に近づけたい場合、熱媒体変換機３は、外気熱回収機２ｄから直接、外気の熱を回収して、室内機２に冷熱あるいは温熱が配送されるようになっている。また、換気熱回収機２ｃは、室内と室外を換気する機能を有しており、室内から室外へ空気を排出する際に、室内の熱を熱媒体に回収できるようになっている。
【００１３】
室外機１は、通常、ビルなどの建物９の外部の空間（たとえば、屋上など）である室外空間６に配置され、熱媒体変換機３を介して室内機２ａ、２ｂに冷熱または温熱を供給するものである。
室内機２ａ、２ｂは、建物９の内部の空間（たとえば、居室など）である室内空間７に冷房用空気または暖房用空気を供給できる位置に配置され、空調対象空間となる室内空間７に冷房用空気または暖房用空気を供給するものである。
換気熱回収機２ｃは、換気機能を有し、室内空気を室外に排出する際に、室内の冷熱または温熱を熱媒体に貯えるものである。
外気熱回収機２ｄは、通常、ビルなどの建物９の外の空間（たとえば、屋上など）である室外空間６に配置され、室外の冷熱または温熱を熱媒体に貯えるものである。
熱媒体変換機３は、室外機１、室内機２、換気熱回収機２ｃ、および外気熱回収機２ｄとは別筐体として、室外空間６および室内空間７とは別の位置に設置されるものである。この熱媒体変換機３は、室外機１と冷媒配管４を介して、および室内機２と熱媒体配管５を介してそれぞれ接続され、室外機１から供給される冷熱または温熱を室内機２に伝達するものである。また、熱媒体変換機３は、換気熱回収機２ｃおよび外気熱回収機２ｄとも熱媒体配管５を介してそれぞれ接続され、外気の冷熱または温熱を直接、室内機２に伝達するものである。
【００１４】
図１に示すように、本実施の形態に係る空気調和装置１００において、室外機１と熱媒体変換機３とが２本の冷媒配管４を介して接続され、熱媒体変換機３と各室内機２ａ、２ｄ、換気熱回収機２ｃ、および外気熱回収機２ｄとが２本の熱媒体配管５を介してそれぞれ接続されている。このように、空気調和装置１００では、冷媒配管４および熱媒体配管５を介して各ユニット（室外機１、室内機２、換気熱回収機２ｃ、外気熱回収機２ｄ、および熱媒体変換機３）を接続することにより、施工が容易となっている。
【００１５】
なお、図１において、熱媒体変換機３が建物９の内部ではあるが、室内空間７とは別の空間である天井裏などの空間８（たとえば、建物９における天井裏などのスペース）に設置されている状態が例として図示されているが、その他、エレベーターがある共用空間などに設置してもよい。また、室内機２ａ、２ｂが天井カセット型、換気熱回収機２ｃが換気ユニット型を例として図示しているが、これに限定されるものではない。すなわち、室内機２ａ、２ｂ、換気熱回収機２ｃはその他、天井埋込型や天井吊下式など、直接またはダクトを介して室内空間７に暖房用空気または冷房用空気を吹き出せるようになっていれば、どんな種類のものでもよい。
【００１６】
また、室外機１および外気熱回収機２ｄが室外空間６に設置されている場合を例に図示しているが、これに限定するものではない。たとえば、室外機１および外気熱回収機２ｄは、換気口付の機械室などの囲まれた空間に設置してもよいし、排気ダクトで廃熱を建物９の外に排気することができるのであれば、建物９の内部に設置してもよい。また、水冷式の室外機１を用いる場合においても、建物９の内部に設置するようにしてもよい。このような場所に室外機１を設置するとしても、特段の問題が発生することはない。
【００１７】
また、外気熱回収機２ｄが外気と熱交換するようになっているが、ボイラーや（川の）水などから熱交換できれば、どんな種類のものでもよい。
【００１８】
また、熱媒体変換機３は、室外機１の近傍に設置することもできる。ただし、熱媒体変換機３から室内機２ａ、２ｂ、換気熱回収機２ｃ、外気熱回収機２ｄまでの距離がそれぞれ長すぎると、熱媒体の搬送動力がかなり大きくなるため、省エネの効果は薄れることに留意が必要である。
【００１９】
図２は、本発明の実施の形態に係る空気調和装置１００の第１の冷媒回路構成例である。
図２に示すように、室外機１と、熱媒体変換機３に備えられた熱媒体間熱交換器１５ａ、１５ｂとが、冷媒配管４を介してそれぞれ接続されている。また、室内機２ａ、２ｂ、換気熱回収機２ｃ、および外気熱回収機２ｄと、熱媒体間熱交換器１５ａ、１５ｂとも、熱媒体配管５を介してそれぞれ接続されている。
【００２０】
［冷媒配管４］
本実施の形態に係る空気調和装置１００は、後述する複数（本実施の形態では１２）の運転モードを具備している。これらの運転モードにおいては、室外機１と熱媒体変換機３とを接続する冷媒配管４には熱源側冷媒が流れている。
【００２１】
［熱媒体配管５］
本実施の形態に係る空気調和装置１００が実行する、後述する複数（本実施の形態では１２）の運転モードにおいては、熱媒体変換機３と室内機２とを接続する熱媒体配管５には水や不凍液等の熱媒体が流れている。
【００２２】
［熱媒体］
熱媒体としては、たとえばブライン（不凍液）や水、ブラインと水の混合液、水と防食効果が高い添加剤の混合液等を用いることができる。したがって、空気調和装置１００においては、熱媒体が室内機２を介して室内空間７に漏洩したとしても、熱媒体に安全性の高いものを使用しているため安全性の向上に寄与することになる。
【００２３】
［室外機１］
室外機１には、冷媒を圧縮する圧縮機１０、四方弁などで構成される第１冷媒流路切替装置１１、蒸発器または凝縮器として機能する熱源側熱交換器１２、および余剰冷媒を貯留するアキュムレーター１９が冷媒配管４で接続されて搭載されている。
また、室内機２の要求する運転に関わらず、熱媒体変換機３に流入させる熱源側冷媒の流れを一定方向にすることができる逆止弁１３ａ〜１３ｄが設けられている。
熱媒体間熱交換器１５ａ、１５ｂ（以下、単に熱媒体間熱交換器１５と称することがある）と第１冷媒流路切替装置１１との間における冷媒配管４に逆止弁１３ｄが、第１接続配管４ａに逆止弁１３ｂが、第２接続配管４ｂに逆止弁１３ｃが、熱源側熱交換器１２と熱媒体間熱交換器１５ａ、１５ｂとの間における冷媒配管４に逆止弁１３ａが、それぞれ設けられている。
【００２４】
圧縮機１０は、熱源側冷媒を吸入し、その熱源側冷媒を圧縮して高温・高圧の状態にするものであり、たとえば容量制御可能なインバータ圧縮機などで構成するとよい。
第１冷媒流路切替装置１１は、暖房運転モード時（全暖房運転モード時および暖房主体運転モード時）における熱源側冷媒の流れと、冷房運転モード時（全冷房運転モード時および冷房主体運転モード時）における熱源側冷媒の流れとを、切り替えるものである。
熱源側熱交換器１２は、暖房運転時には蒸発器として機能し、冷房運転時には凝縮器として機能し、図示省略のファンなどの送風機から供給される空気と熱源側冷媒との間で熱交換を行うものである。
【００２５】
ここで、全冷房運転モードは、駆動している室内機２のすべてが冷房運転を実行するモード、全暖房運転モードは、駆動している室内機２のすべてが暖房運転を実行するモード、冷房主体運転モードは、冷房運転と暖房運転とが混在する冷房暖房混在運転モードであり、冷房負荷の方が大きいモード、暖房主体運転モードは、同じく冷房暖房混在運転モードであり、暖房負荷の方が大きいモード、のことである。
【００２６】
アキュムレーター１９は、圧縮機１０の吸入側に設けられ、余剰冷媒を貯留する機能と液冷媒とガス冷媒とを分離する機能とを有している。なお、アキュムレーター１９は、過剰な冷媒を貯留できる容器であればよい。
【００２７】
また、圧縮機１０の前後には圧力検知装置である第２圧力センサー３７と第３圧力センサー３８が設けられており、圧縮機１０の回転数と、これら第２圧力センサー３７および第３圧力センサー３８の検知値から、圧縮機１０からの冷媒流量を計算できるようになっている。
【００２８】
［室内機２ａ、２ｂ］
２つの室内機２ａ、２ｂには、利用側熱交換器２６ａ、２６ｂ（以下、単に利用側熱交換器２６と称することがある）がそれぞれ搭載されている。利用側熱交換器２６は、熱媒体配管５を介して、熱媒体変換機３に備えられた熱媒体流量調整装置２５ａ、２５ｂと、第２熱媒体流路切替装置２３ａ、２３ｂとに接続されている。
この利用側熱交換器２６は、図示省略のファンなどの送風機から供給される空気と熱媒体との間で熱交換を行い、室内空間７に供給するための冷房用空気または暖房用空気を生成する（室内空間７を空調する）ものである。
また、室内機２ａ、２ｂには、吸い込み温度３９ａ１、３９ｂ１を検知する吸込空気温度検知装置３９ａ、３９ｂがそれぞれ設けられている。
ここで、吸い込み温度３９ａ１、３９ｂ１は、図示していないが、それぞれ吸込空気温度検知装置３９ａ、３９ｂで検知される温度として便宜的に符号を付けている。
【００２９】
［換気熱回収機２ｃ］
換気熱回収機２ｃには、熱回収用熱交換器２６ｃが搭載されている。熱回収用熱交換器２６ｃは、熱媒体配管５を介して、熱媒体変換機３に備えられた熱媒体流量調整装置２５ｃと、第２熱媒体流路切替装置２３ｃとに接続されている。
この熱回収用熱交換器２６ｃは、図示省略のファンなどの送風機から供給される空気と熱媒体との間で熱交換を行い、室内空間７から室外に排出される空気と熱交換して、熱媒体に熱を回収するものである。
また、換気熱回収機２ｃには、吸い込み温度３９ｃ１を検知する吸込空気温度検知装置３９ｃ、および外気温度４０ｃを検知する外気温度検知装置４０が設けられている。
ここで、吸い込み温度３９ｃ１、外気温度４０ｃは、図示していないが、それぞれ吸込空気温度検知装置３９ｃ、外気温度検知装置４０で検知される温度として便宜的に符号を付けている。
【００３０】
［外気熱回収機２ｄ］
外気熱回収機２ｄには、外気熱回収用熱交換器２６ｄが搭載されている。外気熱回収用熱交換器２６ｄは、熱媒体配管５を介して、熱媒体変換機３に備えられた熱媒体流量調整装置２５ｄと、第２熱媒体流路切替装置２３ｄとに接続されている。
この外気熱回収用熱交換器２６ｄは、図示省略のファンなどの送風機から供給される空気と熱媒体との間で熱交換を行い、室外空気と熱交換して、熱媒体に熱を回収するものである。
また、外気熱回収機２ｄには、吸い込み温度３９ｄ１を検知する外気空気温度検知装置３９ｄが設けられている。なお、外気熱回収機２ｄは、図１では屋上設置であるが、室内に近いベランダなどに設置するのがよい。
ここで、吸い込み温度３９ｄ１は、図示していないが、外気空気温度検知装置３９ｄで検知される温度として便宜的に符号を付けている。
【００３１】
［熱媒体変換機３］
熱媒体変換機３には、冷媒と熱媒体とが熱交換する２つの熱媒体間熱交換器１５ａ、１５ｂ（以下、単に熱媒体間熱交換器１５と称することがある）、冷媒を減圧させる２つの絞り装置１６ａ、１６ｂ（以下、単に絞り装置１６と称することがある）、冷媒配管４の流路を開閉する２つの開閉装置１７ａ、１７ｂ（以下、単に開閉装置１７と称することがある）、冷媒流路を切り替える２つの第２冷媒流路切替装置１８ａ、１８ｂ（以下、単に第２冷媒流路切替装置１８と称することがある）、熱媒体を循環させる２つのポンプ２１ａ、２１ｂ（以下、単にポンプ２１と称することがある）、熱媒体配管５の一方に接続される４つの第１熱媒体流路切替装置２２ａ〜２２ｄ（以下、単に第１熱媒体流路切替装置２２と称することがある）、熱媒体配管５の他方に接続される４つの第２熱媒体流路切替装置２３ａ〜２３ｄ（以下、単に第２熱媒体流路切替装置２３と称することがある）、および、第１熱媒体流路切替装置２２と利用側熱交換器２６との間における熱媒体配管５に接続される４つの熱媒体流量調整装置２５ａ〜２５ｄ（以下、単に熱媒体流量調整装置２５と称することがある）が、それぞれ設けられている。
【００３２】
２つの熱媒体間熱交換器１５ａ、１５ｂは、凝縮器（放熱器）または蒸発器として機能し、熱源側冷媒と熱媒体とで熱交換を行い、室外機１で生成され熱源側冷媒に貯えられた冷熱または温熱を熱媒体に伝達するものである。熱媒体間熱交換器１５ａは、熱源側冷媒循環回路Ａにおける絞り装置１６ａと第２冷媒流路切替装置１８ａとの間に設けられており、冷房暖房混在運転モード時において、熱媒体の冷却に供するものである。熱媒体間熱交換器１５ｂは、熱源側冷媒循環回路Ａにおける絞り装置１６ｂと第２冷媒流路切替装置１８ｂとの間に設けられており、冷房暖房混在運転モード時において、熱媒体の加熱に供するものである。なお、熱媒体間熱交換器１５ａ、１５ｂは、たとえば二重管式熱交換器やプレート熱交換器で構成するとよい。
【００３３】
２つの絞り装置１６ａ、１６ｂは、減圧弁や膨張弁としての機能を有し、熱源側冷媒を減圧して膨張させるものである。絞り装置１６ａは、全冷房運転モード時の熱源側冷媒の流れにおいて、熱媒体間熱交換器１５ａの上流側に設けられている。絞り装置１６ｂは、全冷房運転モード時の熱源側冷媒の流れにおいて、熱媒体間熱交換器１５ｂの上流側に設けられている。なお、２つの絞り装置１６は、開度が可変に制御可能なもの、たとえば電子式膨張弁などで構成するとよい。
【００３４】
２つの開閉装置１７ａ、１７ｂは、冷媒配管４を開閉するものであり、たとえば二方弁などで構成するとよい。
【００３５】
２つの第２冷媒流路切替装置１８ａ、１８ｂは、四方弁などで構成され、運転モードに応じて熱源側冷媒の流れを切り替えるものである。第２冷媒流路切替装置１８ａは、全冷房運転モード時の熱源側冷媒の流れにおいて、熱媒体間熱交換器１５ａの下流側に設けられている。第２冷媒流路切替装置１８ｂは、全冷房運転モード時の熱源側冷媒の流れにおいて、熱媒体間熱交換器１５ｂの下流側に設けられている。
【００３６】
２つのポンプ２１ａ、２１ｂは、熱媒体配管５内の熱媒体を循環させるものである。ポンプ２１ａは、熱媒体間熱交換器１５ａと第２熱媒体流路切替装置２３との間における熱媒体配管５に設けられている。ポンプ２１ｂは、熱媒体間熱交換器１５ｂと第２熱媒体流路切替装置２３との間における熱媒体配管５に設けられている。２つのポンプ２１は、たとえば容量制御可能なポンプなどで構成するとよい。なお、ポンプ２１ａを熱媒体間熱交換器１５ａと第１熱媒体流路切替装置２２との間における熱媒体配管５に、ポンプ２１ｂを熱媒体間熱交換器１５ｂと第１熱媒体流路切替装置２２との間における熱媒体配管５に、それぞれ設けてもよい。
【００３７】
４つの第１熱媒体流路切替装置２２ａ〜２２ｄは、三方弁などで構成されており、熱媒体の流路を切り替えるものである。第１熱媒体流路切替装置２２は、室内機２の設置台数に応じた数（本実施の形態では４つ）が設けられるようになっている。第１熱媒体流路切替装置２２は、三方のうちの一つが熱媒体間熱交換器１５ａに、その他のうちの一つが熱媒体間熱交換器１５ｂに、残りの一つが熱媒体流量調整装置２５に、それぞれ接続され、利用側熱交換器２６の熱媒体流路の出口側にそれぞれ設けられている。
なお、第１熱媒体流路切替装置２２ａ〜２２ｄは、室内機２ａ〜２ｄに対応させて紙面下側から第１熱媒体流路切替装置２２ａ、２２ｂ、２２ｃ、２２ｄとし、それらは熱媒体変換機３に設置されるように図示されているが、さらに多くの数を設けてもよい。
【００３８】
４つの第２熱媒体流路切替装置２３ａ〜２３ｄは、三方弁などで構成されており、熱媒体の流路を切り替えるものである。第２熱媒体流路切替装置２３は、室内機２の設置台数に応じた数（本実施の形態では４つ）が設けられるようになっている。第２熱媒体流路切替装置２３は、三方のうちの一つが熱媒体間熱交換器１５ａに、その他のうちの一つが熱媒体間熱交換器１５ｂに、残りの一つが利用側熱交換器２６に、それぞれ接続され、利用側熱交換器２６の熱媒体流路の入口側にそれぞれ設けられている。
なお、第２熱媒体流路切替装置２３ａ〜２３ｄは、室内機２ａ〜２ｄに対応させて紙面下側から第２熱媒体流路切替装置２３ａ、２３ｂ、２３ｃ、２３ｄとし、それらは熱媒体変換機３に設置されるように図示されているが、さらに多くの数を設けてもよい。
【００３９】
４つの熱媒体流量調整装置２５ａ〜２５ｄは、開口面積を制御可能な二方弁などで構成されており、熱媒体配管５を流れる熱媒体の流量を調整するものである。熱媒体流量調整装置２５は、室内機２の設置台数に応じた数（本実施の形態では４つ）が設けられるようになっている。熱媒体流量調整装置２５は、一方が利用側熱交換器２６に、他方が第１熱媒体流路切替装置２２に、それぞれ接続され、利用側熱交換器２６の熱媒体流路の出口側にそれぞれ設けられている。
なお、熱媒体流量調整装置２５ａ〜２５ｄは、室内機２ａ〜２ｄに対応させて紙面下側から熱媒体流量調整装置２５ａ、２５ｂ、２５ｃ、２５ｄとし、それらは熱媒体変換機３に設置されるように図示されているが、さらに多くの数を設けてもよい。また、熱媒体流量調整装置２５を利用側熱交換器２６の熱媒体流路の入口側に設けてもよい。
【００４０】
熱媒体変換機３には、図２に示すように、２つの第１温度センサー３１ａ、３１ｂ（以下、単に第１温度センサー３１と称することがある）、４つの第２温度センサー３４ａ〜３４ｄ（以下、単に第２温度センサー３４と称することがある）、４つの第３温度センサー３５ａ〜３５ｄ（以下、単に第３温度センサー３５と称することがある）、第４温度センサー５０、および第１圧力センサー３６の、各種検知手段がそれぞれ設けられている。これらの検知手段で検知された情報（たとえば、温度情報や圧力情報）は、空気調和装置１００の動作を統括制御する制御装置５２（なお、制御装置５２については後述する）に送られ、圧縮機１０の駆動周波数、熱源側熱交換器１２および利用側熱交換器２６の近傍に設けられる図示省略の送風機の回転数、第１冷媒流路切替装置１１の切り替え、ポンプ２１の駆動周波数、第２冷媒流路切替装置１８の切り替え、熱媒体の流路の切替などの制御に利用されることになる。
【００４１】
制御装置５２は、マイコンなどで構成されており、演算装置５２ａの算出結果に基づいて、蒸発温度、凝縮温度、飽和温度、過熱度、および過冷却度を計算する。そして、制御装置５２は、これらの計算結果に基づいて、絞り装置１６の開度、圧縮機１０の回転数、熱源側熱交換器１２や利用側熱交換器２６のファンの速度（ＯＮ／ＯＦＦ含む）などを制御し、空気調和装置１００のパフォーマンスが最大となるようにする。
その他に制御装置５２は、各種検知手段での検知情報およびリモコンからの指示に基づいて、圧縮機１０の駆動周波数、送風機の回転数（ＯＮ／ＯＦＦ含む）、第１冷媒流路切替装置１１の切り替え、ポンプ２１の駆動、絞り装置１６の開度、開閉装置１７の開閉、第２冷媒流路切替装置１８の切り替え、第１熱媒体流路切替装置２２の切り替え、第２熱媒体流路切替装置２３の切り替え、および、熱媒体流量調整装置２５の開度などを制御するものである。すなわち、制御装置５２は、後述する各運転モードを実行するために、各種機器を統括制御するものである。
なお、制御装置５７は室外機１にも設けられており、熱媒体変換機３の制御装置５２からの送信される情報をもとに、室外機１のアクチュエータを制御している。
また、本実施の形態では、熱媒体変換機３の制御装置５２は、室外機１に設けられた演算装置５７ａと別体であるものとして説明しているが、同体であってもよい。
【００４２】
２つの第１温度センサー３１ａ、３１ｂは、熱媒体間熱交換器１５から流出した熱媒体、つまり熱媒体間熱交換器１５の出口における熱媒体の温度を検知するものであり、たとえばサーミスターなどで構成するとよい。第１温度センサー３１ａは、ポンプ２１ａの入口側における熱媒体配管５に設けられている。第１温度センサー３１ｂは、ポンプ２１ｂの入口側における熱媒体配管５に設けられている。
【００４３】
４つの第２温度センサー３４ａ〜３４ｄは、第１熱媒体流路切替装置２２と熱媒体流量調整装置２５との間にそれぞれ設けられ、利用側熱交換器（または熱回収用熱交換機）２６から流出した熱媒体の温度を検知するものであり、サーミスターなどで構成するとよい。第２温度センサー３４は、室内機２の設置台数に応じた数（本実施の形態では４つ）が設けられるようになっている。なお、第２温度センサー３４ａ〜３４ｄは、室内機２に対応させて紙面下側から第２温度センサー３４ａ、３４ｂ、３４ｃ、３４ｄとして図示されている。
【００４４】
４つの第３温度センサー３５ａ〜３５ｄは、熱媒体間熱交換器１５の熱源側冷媒の入口側または出口側に設けられ、熱媒体間熱交換器１５に流入する熱源側冷媒の温度または熱媒体間熱交換器１５から流出した熱源側冷媒の温度を検知するものであり、サーミスターなどで構成するとよい。第３温度センサー３５ａは、熱媒体間熱交換器１５ａと第２冷媒流路切替装置１８ａとの間に設けられている。第３温度センサー３５ｂは、熱媒体間熱交換器１５ａと絞り装置１６ａとの間に設けられている。第３温度センサー３５ｃは、熱媒体間熱交換器１５ｂと第２冷媒流路切替装置１８ｂとの間に設けられている。第３温度センサー３５ｄは、熱媒体間熱交換器１５ｂと絞り装置１６ｂとの間に設けられている。
【００４５】
第４温度センサー５０は、蒸発温度Ｔｅ※と露点温度Ｔｄｅｗ※を算出する際に使用する温度情報を得るものであり、絞り装置１６ａと絞り装置１６ｂとの間に設けられている。
【００４６】
第１圧力センサー３６は、絞り装置１６の開度を制御する際に使用する飽和温度に換算するための圧力情報を得るものであり、熱媒体間熱交換器１５ｂと絞り装置１６ｂとの間に設けられている。
【００４７】
熱媒体を循環させるための熱媒体配管５は、熱媒体間熱交換器１５ａに接続されるものと、熱媒体間熱交換器１５ｂに接続されるものと、で構成されており、それらは熱媒体変換機３に接続される室内機２、換気熱回収機２ｃ、外気熱回収機２ｄの台数に応じてそれぞれ分岐（本実施の形態では４分岐）されている。また、熱媒体間熱交換器１５ａの入口側に接続される熱媒体配管５と熱媒体間熱交換器１５ｂの入口側に接続される熱媒体配管５は、それぞれ第１熱媒体流路切替装置２２で接続され、熱媒体間熱交換器１５ａの出口側に接続される熱媒体配管５と熱媒体間熱交換器１５ｂの出口側に接続される熱媒体配管５は、それぞれ第２熱媒体流路切替装置２３で接続されている。
そして、第１熱媒体流路切替装置２２および第２熱媒体流路切替装置２３を制御することで、熱媒体間熱交換器１５ａからの熱媒体を利用側熱交換器２６に流入させるか、熱媒体間熱交換器１５ｂからの熱媒体を利用側熱交換器２６に流入させるか、が決定されるようになっている。
【００４８】
［運転モードの説明］
空気調和装置１００は、圧縮機１０、第１冷媒流路切替装置１１、熱源側熱交換器１２、開閉装置１７、絞り装置１６、熱媒体間熱交換器１５ａの熱源側冷媒流路、第２冷媒流路切替装置１８、および、アキュムレーター１９を、冷媒配管４で接続して熱源側冷媒循環回路Ａを構成している。
また、熱媒体間熱交換器１５ａの熱媒体流路、ポンプ２１、第２熱媒体流路切替装置２３、利用側熱交換器２６、熱媒体流量調整装置２５、および、第１熱媒体流路切替装置２２を、熱媒体配管５で接続して熱媒体循環回路Ｂを構成している。つまり、熱媒体間熱交換器１５ａ、１５ｂに複数台の利用側熱交換器２６がそれぞれ並列に接続され、熱媒体循環回路Ｂを複数系統としている。
【００４９】
よって、空気調和装置１００では、室外機１と熱媒体変換機３とが、熱媒体変換機３に設けられている熱媒体間熱交換器１５ａ、１５ｂを介して接続され、熱媒体変換機３と室内機２、換気熱回収機２ｃ、および外気熱回収機２ｄとが、同じく熱媒体間熱交換器１５ａ、１５ｂを介してそれぞれ接続されている。すなわち、空気調和装置１００では、熱媒体間熱交換器１５ａ、１５ｂで熱源側冷媒循環回路Ａを循環する熱源側冷媒と、熱媒体循環回路Ｂを循環する熱媒体と、が熱交換するようになっている。
【００５０】
以下、空気調和装置１００が実行する各運転モードについて説明する。この空気調和装置１００は、各室内機２ａ、２ｂからの指示に基づいて、その室内機２で冷房運転あるいは暖房運転が可能になっている。つまり、空気調和装置１００は、室内機２の全部で同一運転ができるとともに、室内機２のそれぞれで異なる運転ができるようにもなっている。また、室外機１や各室内機２ａ、２ｂの運転状況、換気熱回収機２ｃおよび外気熱回収機２ｄで検知される室内温度や室外温度によって、換気熱回収機２ｃまたは外気熱回収機２ｄを運転できるようになっている。
【００５１】
図３は、本発明の実施の形態に係る空気調和装置１００の運転モード一覧である。
空気調和装置１００が実行する運転モードには、図３に示すように１２のパターンがある。駆動している室内機２のすべてが冷房運転を実行する全冷房運転モード（２台の室内機２ａ、２ｂ両方動作がパターン１、１台の室内機２ａ（または２ｂ）のみ動作がパターン２）、駆動している室内機２のすべてが暖房運転を実行する全暖房運転モード（２台の室内機２ａ、２ｂ両方動作がパターン３、１台の室内機２ａ（または２ｂ）のみ動作がパターン４）、駆動している室内機２ａ、２ｂのすべてにおいて、冷房負荷の方が大きい冷房暖房混在運転モードとしての冷房主体運転モード（パターン５）、および、駆動している室内機２ａ、２ｂのすべてにおいて、暖房負荷の方が大きい冷房暖房混在運転モードとしての暖房主体運転モード（パターン６）、がある。なお、それらのパターン１〜６はいずれも換気熱回収機２ｃおよび外気熱回収機２ｄは停止して、室外機１は運転している。
また、室外機１は停止しているが、室内機２ａ、２ｂが冷房運転（どちらか一方は停止でもよい）し、外気熱回収機２ｄが運転している全冷房運転（外気補助のみ）モード（パターン７）、室外機１は停止しているが、室内機２ａ、２ｂが暖房運転（どちらか一方は停止でもよい）し、外気熱回収機２ｄが運転している全暖房運転（外気補助のみ）モード（パターン８）、がある。
また、冷房負荷の方が大きい冷房暖房混在運転モードにおいて、冷房側の負荷を室外機１側の熱源側冷媒で、暖房側の負荷を外気熱回収機２ｄからの吸熱で、それぞれ賄う冷房主体運転モード（パターン９）、暖房負荷の方が大きい冷房暖房混在運転モードにおいて、暖房側の負荷を室外機１側の熱源側冷媒で、冷房側の負荷を外気熱回収機２ｄからの吸冷で、それぞれ賄う暖房主体運転モード（パターン１０）、がある。
また、パターン２において、換気熱回収機２ｃを作動させた全冷房運転モード（パターン１１）、パターン４において、換気熱回収機２ｃを作動させた全暖房運転モード（パターン１２）、がある。
なお、パターン１〜１２において、室内機２ａと室内機２ｂの動作が逆になってもよい。
以下に、各運転モードについて、熱源側冷媒および熱媒体の流れとともに説明する。
【００５２】
［全冷房運転モード（パターン１、パターン２）］
図４は、図２に示す空気調和装置１００の全冷房運転モード時（パターン１）における冷媒の流れを示す冷媒回路図である。なお、図４では、利用側熱交換器２６ａ、２６ｂの室内機２ａ、２ｂで冷熱負荷が発生している場合を例に、全冷房運転モードについて説明する。また、太線で表された配管が冷媒（熱源側冷媒および熱媒体）の流れる配管を示しており、熱源側冷媒の流れ方向を実線矢印で、熱媒体の流れ方向を破線矢印で示している。
【００５３】
図４に示す全冷房運転モードの場合、室外機１では、第１冷媒流路切替装置１１を、圧縮機１０から吐出された熱源側冷媒が熱源側熱交換器１２へ流入するように切り替える。熱媒体変換機３ではポンプ２１ａ、２１ｂを駆動させ、熱媒体流量調整装置２５ａ、２５ｂを開放し、熱媒体流量調整装置２５ｃ、２５ｄを閉止し、熱媒体間熱交換器１５ａ、１５ｂと利用側熱交換器２６ａ、２６ｂとの間を、熱媒体がそれぞれ循環するようにしている。
【００５４】
まず始めに、熱源側冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら高圧の液冷媒となる。熱源側熱交換器１２から流出した高圧冷媒は、逆止弁１３ａを通って、室外機１から流出し、冷媒配管４を通って熱媒体変換機３に流入する。熱媒体変換機３に流入した高圧冷媒は、開閉装置１７ａを経由した後で、絞り装置１６ａ側と絞り装置１６ｂ側とに分岐される。そして、絞り装置１６ａ、１６ｂで膨張させられて低温・低圧の二相冷媒となる。なお、開閉装置１７ｂは閉となっている。
【００５５】
この二相冷媒は、蒸発器として作用する熱媒体間熱交換器１５ａ、１５ｂそれぞれに流入し、熱媒体循環回路Ｂを循環する熱媒体から吸熱することで、熱媒体を冷却しながら、低温・低圧のガス冷媒となる。熱媒体間熱交換器１５ａ、１５ｂから流出したガス冷媒は、第２冷媒流路切替装置１８ａ、１８ｂを介して熱媒体変換機３から流出し、冷媒配管４を通って再び室外機１へ流入する。室外機１に流入した冷媒は、逆止弁１３ｄを通って、第１冷媒流路切替装置１１およびアキュムレーター１９を介して、圧縮機１０へ再度吸入される。
【００５６】
このとき、第２冷媒流路切替装置１８ａ、１８ｂは低圧配管と連通されている。また、絞り装置１６ａは、第３温度センサー３５ａで検知された温度と、第３温度センサー３５ｂで検知された温度との差として得られるスーパーヒート（過熱度）が、一定になるように開度が制御される。同様に、絞り装置１６ｂは、第３温度センサー３５ｃで検知された温度と、第３温度センサー３５ｄで検知された温度との差として得られるスーパーヒートが、一定になるように開度が制御される。
【００５７】
次に、熱媒体循環回路Ｂにおける熱媒体の流れについて説明する。
全冷房運転モードでは、熱媒体間熱交換器１５ａ、１５ｂそれぞれで熱源側冷媒の冷熱が熱媒体に伝えられ、冷やされた熱媒体がポンプ２１ａ、２１ｂによってそれぞれ熱媒体配管５内を流動させられることになる。ポンプ２１ａ、２１ｂで加圧されて流出した熱媒体は、第２熱媒体流路切替装置２３ａ、２３ｂを介して、利用側熱交換器２６ａ、２６ｂに流入する。そして、熱媒体が利用側熱交換器２６ａ、２６ｂで室内空気から吸熱することで、室内空間７の冷房を行う。
【００５８】
それから、熱媒体は、利用側熱交換器２６ａ、２６ｂから流出して熱媒体流量調整装置２５ａ、２５ｂに流入する。このとき、熱媒体流量調整装置２５ａ、２５ｂの作用によって熱媒体の流量が室内にて必要とされる空調負荷を賄うのに必要な流量に制御されて利用側熱交換器２６ａ、２６ｂに流入するようになっている。熱媒体流量調整装置２５ａ、２５ｂから流出した熱媒体は、第１熱媒体流路切替装置２２ａ、２２ｂを通って熱媒体間熱交換器１５ａ、１５ｂへ流入し、再びポンプ２１ａ、２１ｂへ吸い込まれる。
【００５９】
なお、利用側熱交換器２６ａ、２６ｂの熱媒体配管５内では、第２熱媒体流路切替装置２３ａ、２３ｂから熱媒体流量調整装置２５ａ、２５ｂを経由して第１熱媒体流路切替装置２２ａ、２２ｂへ至る方向に熱媒体が流れている。また、室内空間７にて必要とされる空調負荷は、第１温度センサー３１ａで検知された温度、あるいは第１温度センサー３１ｂで検知された温度と第２温度センサー３４ａ（または第２温度センサー３４ｂ）で検知された温度との差、を目標値として保つように制御することにより、賄うことができる。熱媒体間熱交換器１５ａ、１５ｂの出口温度は、それぞれ第１温度センサー３１ａ、３１ｂどちらの温度を使用してもよいし、これらの平均温度を使用してもよい。このとき、第１熱媒体流路切替装置２２および第２熱媒体流路切替装置２３は、熱媒体間熱交換器１５ａ、１５ｂの両方へ流れる流路が確保されるように、中間的な開度にしている。
【００６０】
全冷房運転モードを実行する場合、熱負荷のない利用側熱交換器２６（サーモオフを含む）へは熱媒体を流す必要がないため、熱媒体流量調整装置２５により流路を閉じて、利用側熱交換器２６へ熱媒体が流れないようにする。図４では、利用側熱交換器２６ａ、２６ｂにおいては熱負荷があるため熱媒体を流しているが、熱回収用熱交換器２６ｃおよび外気熱回収用熱交換器２６ｄにおいては作動させないため、対応する熱媒体流量調整装置２５ｃおよび熱媒体流量調整装置２５ｄを全閉としている。そして、利用側熱交換器２６に熱負荷の発生があった場合や熱回収機を動作させる場合には、熱媒体流量調整装置２５を開放し、熱媒体を循環させればよい。
なお、その他、全暖房運転モード、冷房主体運転モード、および暖房主体運転モードでも同様である。
【００６１】
第４温度センサー５０が温度検知する冷媒は液冷媒であり、この温度情報をもとに演算装置５２ａによって、液入口エンタルピーが算出される。また、第３温度センサー３５ｄから低圧二相温状態の温度を検知し、この温度情報をもとに演算装置５２ａによって、飽和液エンタルピーおよび飽和ガスエンタルピーが算出される。
【００６２】
図５は、図２に示す空気調和装置１００の全冷房運転（暫定）モード時（パターン２）における冷媒の流れを示す冷媒回路図である。パターン２は、パターン１に対して利用側熱交換器２６ｂが停止している場合である。
パターン２では、パターン１より負荷が低いため、パターン１に対して熱源側冷媒循環回路Ａにおける絞り装置１６ｂが閉止、第２冷媒流路切替装置１８ｂが逆側に切り替わることで熱媒体間熱交換器１５ｂに冷媒を流さず、熱媒体循環回路Ｂにおけるポンプ２１ｂが停止、熱媒体流量調整装置２５ｂを閉止するようにしている。
【００６３】
［全暖房運転モード（パターン３、パターン４）］
図６は、図２に示す空気調和装置１００の全暖房運転モード時（パターン３）における冷媒の流れを示す冷媒回路図である。なお、図６では、利用側熱交換器２６ａ、２６ｂで温熱負荷が発生している場合を例に全暖房運転モードについて説明する。また、太線で表された配管が冷媒（熱源側冷媒および熱媒体）の流れる配管を示しており、熱源側冷媒の流れ方向を実線矢印で、熱媒体の流れ方向を破線矢印で示している。
【００６４】
図６に示す全暖房運転モードの場合、室外機１では、第１冷媒流路切替装置１１を、圧縮機１０から吐出された熱源側冷媒を、熱源側熱交換器１２を経由させずに熱媒体変換機３へ流入させるように切り替える。熱媒体変換機３では、ポンプ２１ａ、２１ｂを駆動させ、熱媒体流量調整装置２５ａ、２５ｂを開放し、熱媒体流量調整装置２５ｃ、２５ｄを閉止し、熱媒体間熱交換器１５ａ、１５ｂと利用側熱交換器２６ａ、２６ｂとの間を、熱媒体がそれぞれ循環するようにしている。
【００６５】
まず始めに、熱源側冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、第２冷媒流路切替装置１８ａ側と第２冷媒流路切替装置１８ｂ側とに分岐される。そして、第２冷媒流路切替装置１８ａ、第２冷媒流路切替装置１８ｂを通って、熱媒体間熱交換器１５ａ、１５ｂそれぞれに流入する。
【００６６】
熱媒体間熱交換器１５ａ、１５ｂに流入した高温・高圧のガス冷媒は、熱媒体循環回路Ｂを循環する熱媒体に放熱しながら高圧の液冷媒となる。熱媒体間熱交換器１５ａ、１５ｂから流出した液冷媒は、絞り装置１６ａ、１６ｂで膨張させられて、低温・低圧の二相冷媒となる。この二相冷媒は、開閉装置１７ｂを通って、熱媒体変換機３から流出し、冷媒配管４を通って再び室外機１へ流入する。なお、開閉装置１７ａは閉となっている。
【００６７】
室外機１に流入した冷媒は、逆止弁１３ｃを通って蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１およびアキュムレーター１９を介して圧縮機１０へ再度吸入される。
【００６８】
このとき、第２冷媒流路切替装置１８ａ、１８ｂは高圧配管と連通されている。また、絞り装置１６ａは、第１圧力センサー３６で検知された圧力を飽和温度に換算した値と、第３温度センサー３５ｂで検知された温度との差として得られるサブクール（過冷却度）が、一定になるように開度が制御される。同様に、絞り装置１６ｂは、第１圧力センサー３６で検知された圧力を飽和温度に換算した値と、第３温度センサー３５ｄで検知された温度との差として得られるサブクールが、一定になるように開度が制御される。なお、熱媒体間熱交換器１５の中間位置の温度が測定できる場合は、その中間位置での温度を第１圧力センサー３６の代わりに用いてもよく、安価にシステムを構成できる。
【００６９】
次に、熱媒体循環回路Ｂにおける熱媒体の流れについて説明する。
全暖房運転モードでは、熱媒体間熱交換器１５ａ、１５ｂそれぞれで熱源側冷媒の温熱が熱媒体に伝えられ、暖められた熱媒体がポンプ２１ａ、２１ｂによってそれぞれ熱媒体配管５内を流動させられることになる。ポンプ２１ａ、２１ｂで加圧されて流出した熱媒体は、第２熱媒体流路切替装置２３ａ、２３ｂを介して、利用側熱交換器２６ａ、２６ｂに流入する。そして、熱媒体が利用側熱交換器２６ａ、２６ｂで室内空気に放熱することで、室内空間７の暖房を行う。
【００７０】
それから、熱媒体は、利用側熱交換器２６ａ、２６ｂから流出して熱媒体流量調整装置２５ａ、２５ｂに流入する。このとき、熱媒体流量調整装置２５ａ、２５ｂの作用によって熱媒体の流量が室内にて必要とされる空調負荷を賄うのに必要な流量に制御されて利用側熱交換器２６ａ、２６ｂに流入するようになっている。熱媒体流量調整装置２５ａ、２５ｂから流出した熱媒体は、第１熱媒体流路切替装置２２ａ、２２ｂを通って熱媒体間熱交換器１５ａ、１５ｂへ流入し、再びポンプ２１ａ、２１ｂへ吸い込まれる。
【００７１】
なお、利用側熱交換器２６ａ、２６ｂの熱媒体配管５内では、第２熱媒体流路切替装置２３ａ、２３ｂから熱媒体流量調整装置２５ａ、２５ｂを経由して第１熱媒体流路切替装置２２ａ、２２ｂへ至る方向に熱媒体が流れている。また、室内空間７にて必要とされる空調負荷は、第１温度センサー３１ａで検知された温度、あるいは第１温度センサー３１ｂで検知された温度と、第２温度センサー３４ａ、３４ｂで検知された温度との差を目標値として保つように制御することにより、賄うことができる。熱媒体間熱交換器１５ａ、１５ｂの出口温度は、それぞれ第１温度センサー３１ａ、３１ｂどちらの温度を使用してもよいし、これらの平均温度を使用してもよい。
【００７２】
このとき、第１熱媒体流路切替装置２２および第２熱媒体流路切替装置２３は、熱媒体間熱交換器１５ａ、１５ｂの両方へ流れる流路が確保されるように、中間的な開度にしている。また、本来、利用側熱交換器２６は、その入口と出口の温度差で制御すべきであるが、利用側熱交換器２６の入口側の熱媒体温度は、第１温度センサー３１ｂで検知された温度とほとんど同じ温度であり、第１温度センサー３１ｂを使用することにより温度センサーの数を減らすことができ、安価にシステムを構成できる。
【００７３】
図７は、図２に示す空気調和装置１００の全暖房運転（暫定）モード時（パターン４）における冷媒の流れを示す冷媒回路図である。パターン４は、パターン３に対して利用側熱交換器２６ａが停止している場合である。
パターン４では、パターン１より負荷が低いため、パターン１に対して熱源側冷媒循環回路Ａにおける絞り装置１６ａが閉止、第２冷媒流路切替装置１８ａが逆側に切り替わることで熱媒体間熱交換器１５ａに冷媒を流さず、熱媒体循環回路Ｂにおけるポンプ２１ａが停止、熱媒体流量調整装置２５ａを閉止するようにしている。
【００７４】
［冷房主体運転モード（パターン５）］
図８は、図２に示す空気調和装置１００の冷房主体運転モード時（パターン５）における冷媒の流れを示す冷媒回路図である。なお、図８では、利用側熱交換器２６ａで冷熱負荷が発生し、利用側熱交換器２６ｂで温熱負荷が発生している場合を例に、冷房主体運転モードについて説明する。また、太線で表された配管が冷媒（熱源側冷媒および熱媒体）の循環する配管を示しており、熱源側冷媒の流れ方向を実線矢印で、熱媒体の流れ方向を破線矢印で示している。
【００７５】
図８に示す冷房主体運転モードの場合、室外機１では、第１冷媒流路切替装置１１を、圧縮機１０から吐出された熱源側冷媒を熱源側熱交換器１２へ流入させるように切り替える。熱媒体変換機３では、ポンプ２１ａ、２１ｂを駆動させ、熱媒体流量調整装置２５ａ、２５ｂを開放し、熱媒体流量調整装置２５ｃ、２５ｄを全閉とし、熱媒体間熱交換器１５ａと利用側熱交換器２６ａとの間、および熱媒体間熱交換器１５ｂと利用側熱交換器２６ｂとの間を、それぞれ熱媒体が循環するようにしている。
【００７６】
まず始めに、熱源側冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１を介して熱源側熱交換器１２に流入する。そして、熱源側熱交換器１２で室外空気に放熱しながら液冷媒となる。熱源側熱交換器１２から流出した冷媒は、室外機１から流出し、逆止弁１３ａ、冷媒配管４を通って熱媒体変換機３に流入する。熱媒体変換機３に流入した冷媒は、第２冷媒流路切替装置１８ｂを通って凝縮器として作用する熱媒体間熱交換器１５ｂに流入する。
【００７７】
熱媒体間熱交換器１５ｂに流入した冷媒は、熱媒体循環回路Ｂを循環する熱媒体に放熱しながら、さらに温度が低下した冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで、熱媒体を冷却しながら、低圧のガス冷媒となる。このガス冷媒は、熱媒体間熱交換器１５ａから流出し、第２冷媒流路切替装置１８ａを介して熱媒体変換機３から流出し、冷媒配管４を通って再び室外機１へ流入する。室外機１に流入した冷媒は、逆止弁１３ｄ、第１冷媒流路切替装置１１およびアキュムレーター１９を介して、圧縮機１０へ再度吸入される。
【００７８】
このとき、第２冷媒流路切替装置１８ａは低圧配管と連通されており、一方、第２冷媒流路切替装置１８ｂは高圧側配管と連通されている。また、絞り装置１６ｂは、第３温度センサー３５ａで検知された温度と、第３温度センサー３５ｂで検知された温度との差として得られるスーパーヒートが、一定になるように開度が制御される。また、絞り装置１６ａは全開、開閉装置１７ａ、１７ｂは閉となっている。なお、絞り装置１６ｂは、第１圧力センサー３６で検知された圧力を飽和温度に換算した値と、第３温度センサー３５ｄで検知された温度との差として得られるサブクールが、一定になるように開度を制御してもよい。また、絞り装置１６ｂを全開とし、絞り装置１６ａでスーパーヒートまたはサブクールを制御するようにしてもよい。
【００７９】
次に、熱媒体循環回路Ｂにおける熱媒体の流れについて説明する。
冷房主体運転モードでは、熱媒体間熱交換器１５ｂで熱源側冷媒の温熱が熱媒体に伝えられ、暖められた熱媒体がポンプ２１ｂによって熱媒体配管５内を流動させられることになる。また、熱媒体間熱交換器１５ａで熱源側冷媒の冷熱が熱媒体に伝えられ、冷やされた熱媒体がポンプ２１ａによって熱媒体配管５内を流動させられることになる。ポンプ２１ａで加圧されて流出した熱媒体は、第２熱媒体流路切替装置２３ａを介して利用側熱交換器２６ａに、ポンプ２１ｂで加圧されて流出した熱媒体は、第２熱媒体流路切替装置２３ｂを介して利用側熱交換器２６ｂに、それぞれ流入する。
【００８０】
利用側熱交換器２６ｂでは熱媒体が室内空気に放熱することで、室内空間７の暖房を行う。また、利用側熱交換器２６ａでは熱媒体が室内空気から吸熱することで、室内空間７の冷房を行う。このとき、熱媒体流量調整装置２５ａ、２５ｂの作用によって熱媒体の流量が室内にて必要とされる空調負荷を賄うのに必要な流量に制御されて利用側熱交換器２６ａ、２６ｂに流入するようになっている。
利用側熱交換器２６ｂを通過し若干温度が低下した熱媒体は、熱媒体流量調整装置２５ｂおよび第１熱媒体流路切替装置２２ｂを通って、熱媒体間熱交換器１５ｂへ流入し、再びポンプ２１ｂへ吸い込まれる。
また、利用側熱交換器２６ａを通過し若干温度が上昇した熱媒体は、熱媒体流量調整装置２５ａおよび第１熱媒体流路切替装置２２ａを通って、熱媒体間熱交換器１５ａへ流入し、再びポンプ２１ａへ吸い込まれる。
【００８１】
冷房主体運転モードの実行中において、暖かい熱媒体と冷たい熱媒体とは、第１熱媒体流路切替装置２２および第２熱媒体流路切替装置２３の作用により、混合することなく、それぞれ温熱負荷、冷熱負荷がある利用側熱交換器２６ａ、２６ｂへ導入される。
なお、利用側熱交換器２６ａ、２６ｂの熱媒体配管５内では、暖房側、冷房側ともに、第２熱媒体流路切替装置２３から熱媒体流量調整装置２５を経由して第１熱媒体流路切替装置２２へ至る方向に熱媒体が流れている。
また、室内空間７にて必要とされる空調負荷は、暖房側においては第１温度センサー３１ｂで検知された温度と第２温度センサー３４で検知された温度との差を、冷房側においては第２温度センサー３４で検知された温度と第１温度センサー３１ａで検知された温度との差をそれぞれ目標値として保つように制御することにより、賄うことができる。
【００８２】
［暖房主体運転モード（パターン６）］
図９は、図２に示す空気調和装置１００の暖房主体運転モード時（パターン６）における冷媒の流れを示す冷媒回路図である。図９では、利用側熱交換器２６ａで冷熱負荷が発生し、利用側熱交換器２６ｂで暖熱負荷が発生している場合を例に暖房主体運転モードについて説明する。また、太線で表された配管が冷媒（熱源側冷媒および熱媒体）の循環する配管を示しており、熱源側冷媒の流れ方向を実線矢印で、熱媒体の流れ方向を破線矢印で示している。
【００８３】
図９に示す暖房主体運転モードの場合、室外機１では、第１冷媒流路切替装置１１を、圧縮機１０から吐出された熱源側冷媒を熱源側熱交換器１２を経由させずに熱媒体変換機３へ流入させるように切り替える。熱媒体変換機３では、ポンプ２１ａ、２１ｂを駆動させ、熱媒体流量調整装置２５ａ、２５ｂを開放し、熱媒体流量調整装置２５ｃ、２５ｄを全閉とし、熱媒体間熱交換器１５ａと利用側熱交換器２６ａとの間、および熱媒体間熱交換器１５ｂと利用側熱交換器２６ｂとの間を、それぞれ熱媒体が循環するようにしている。
【００８４】
まず始めに、熱源側冷媒循環回路Ａにおける熱源側冷媒の流れについて説明する。
低温・低圧の冷媒が圧縮機１０によって圧縮され、高温・高圧のガス冷媒となって吐出される。圧縮機１０から吐出された高温・高圧のガス冷媒は、第１冷媒流路切替装置１１、逆止弁１３ｂを通り、室外機１から流出する。室外機１から流出した高温・高圧のガス冷媒は、冷媒配管４を通って熱媒体変換機３に流入する。熱媒体変換機３に流入した高温・高圧のガス冷媒は、第２冷媒流路切替装置１８ｂを通って凝縮器として作用する熱媒体間熱交換器１５ｂに流入する。
【００８５】
熱媒体間熱交換器１５ｂに流入したガス冷媒は、熱媒体循環回路Ｂを循環する熱媒体に放熱しながら液冷媒となる。熱媒体間熱交換器１５ｂから流出した冷媒は、絞り装置１６ｂで膨張させられて低圧二相冷媒となる。この低圧二相冷媒は、絞り装置１６ａを介して蒸発器として作用する熱媒体間熱交換器１５ａに流入する。熱媒体間熱交換器１５ａに流入した低圧二相冷媒は、熱媒体循環回路Ｂを循環する熱媒体から吸熱することで蒸発し、熱媒体を冷却する。この低圧二相冷媒は、熱媒体間熱交換器１５ａから流出し、第２冷媒流路切替装置１８ａを介し、熱媒体変換機３から流出し、再び室外機１へ流入する。
【００８６】
室外機１に流入した冷媒は、逆止弁１３ｃを通って、蒸発器として作用する熱源側熱交換器１２に流入する。そして、熱源側熱交換器１２に流入した冷媒は、熱源側熱交換器１２で室外空気から吸熱して、低温・低圧のガス冷媒となる。熱源側熱交換器１２から流出した低温・低圧のガス冷媒は、第１冷媒流路切替装置１１およびアキュムレーター１９を介して圧縮機１０へ再度吸入される。
【００８７】
このとき、第２冷媒流路切替装置１８ａは低圧側配管と連通されており、一方、第２冷媒流路切替装置１８ｂは高圧側配管と連通されている。また、絞り装置１６ｂは、第１圧力センサー３６で検知された圧力を飽和温度に換算した値と、第３温度センサー３５ｂで検知された温度との差として得られるサブクールが、一定になるように開度が制御される。また、絞り装置１６ａは全開、開閉装置１７ａ、１７ｂは閉となっている。なお、絞り装置１６ｂを全開とし、絞り装置１６ａでサブクールを制御するようにしてもよい。
【００８８】
次に、熱媒体循環回路Ｂにおける熱媒体の流れについて説明する。
暖房主体運転モードでは、熱媒体間熱交換器１５ｂで熱源側冷媒の温熱が熱媒体に伝えられ、暖められた熱媒体がポンプ２１ｂによって熱媒体配管５内を流動させられることになる。また、熱媒体間熱交換器１５ａで熱源側冷媒の冷熱が熱媒体に伝えられ、冷やされた熱媒体がポンプ２１ａによって熱媒体配管５内を流動させられることになる。ポンプ２１ａ、２１ｂで加圧されて流出した熱媒体は、第２熱媒体流路切替装置２３ａ、２３ｂを介して、利用側熱交換器２６ａ、２６ｂに流入する。
【００８９】
利用側熱交換器２６ａでは熱媒体が室内空気から吸熱することで、室内空間７の冷房を行う。また、利用側熱交換器２６ｂでは熱媒体が室内空気に放熱することで、室内空間７の暖房を行う。このとき、熱媒体流量調整装置２５ａ、２５ｂの作用によって熱媒体の流量が室内にて必要とされる空調負荷を賄うのに必要な流量に制御されて利用側熱交換器２６ａ、２６ｂに流入するようになっている。
利用側熱交換器２６ａを通過し若干温度が上昇した熱媒体は、熱媒体流量調整装置２５ａおよび第１熱媒体流路切替装置２２ａを通って、熱媒体間熱交換器１５ａに流入し、再びポンプ２１ａへ吸い込まれる。
また、利用側熱交換器２６ｂを通過し若干温度が低下した熱媒体は、熱媒体流量調整装置２５ｂおよび第１熱媒体流路切替装置２２ｂを通って、熱媒体間熱交換器１５ｂへ流入し、再びポンプ２１ｂへ吸い込まれる。
【００９０】
暖房主体運転モードの実行中において、暖かい熱媒体と冷たい熱媒体とは、第１熱媒体流路切替装置２２および第２熱媒体流路切替装置２３の作用により、混合することなく、それぞれ温熱負荷、冷熱負荷がある利用側熱交換器２６ａ、２６ｂへ導入される。
なお、利用側熱交換器２６ａ、２６ｂの熱媒体配管５内では、暖房側、冷房側ともに、第２熱媒体流路切替装置２３から熱媒体流量調整装置２５を経由して第１熱媒体流路切替装置２２へ至る方向に熱媒体が流れている。
また、室内空間７にて必要とされる空調負荷は、暖房側においては第１温度センサー３１ｂで検知された温度と第２温度センサー３４で検知された温度との差を、冷房側においては第２温度センサー３４で検知された温度と第１温度センサー３１ａで検知された温度との差をそれぞれ目標値として保つように制御することにより、賄うことができる。
【００９１】
［全冷房運転［外気熱回収機作動時］モード（パターン７）］
図１０は、図２に示す空気調和装置１００の全冷房運転（外気補助のみ）モード時（パターン７）における冷媒の流れを示す冷媒回路図である。パターン７は、パターン１に対して室外機１が停止、外気熱回収機２ｄが運転している場合である。
外気熱回収機２ｄの吸冷運転によって、外気熱回収用熱交換器２６ｄで外気から吸冷することで熱媒体は冷やされ、その熱媒体がポンプ２１ａ、２１ｂによって熱媒体配管５内を流動させられることになる。ポンプ２１ａ、２１ｂで加圧されて流出した熱媒体は、第２熱媒体流路切替装置２３ａ、２３ｂを介して、利用側熱交換器２６ａ、２６ｂに流入する。そして、熱媒体が利用側熱交換器２６ａ、２６ｂで室内空気から吸熱することで、室内空間７の冷房を行う。
なお、外気熱回収機２ｄが動作する条件としては、室内機２ａ、２ｂの運転状態、および吸い込み温度３９ａ１、３９ｂ１と、吸い込み温度３９ｄ１との差により決定する。例えば、室内機２ａ、２ｂがサーモＯＦＦ状態、かつ吸い込み温度３９ａ１、３９ｂ１が設定温度＋２℃以下の間は、吸い込み温度３９ａ１、３９ｂ１が、吸い込み温度３９ｄ１より５℃以上高い場合に動作させる。また、この場合の熱媒体の流れは、ポンプ２１ａ、２１ｂの両方から出た熱媒体が、室内機２ａ、２ｂ、および外気熱回収機２ｄに流入し、ポンプ２１ａ、２１ｂの両方に分かれて戻る。
【００９２】
なお、図１０では室外機１が停止し、外気熱回収機２ｄから回収した冷熱のみで、室内機２ａ、２ｂの冷房を賄っていたが、室外機１を運転することで、利用側熱交換器２６ａ、２６ｂのどちらか一方を室外機１からの冷熱、もう一方を外気熱回収機２ｄから回収した冷熱で冷房を賄ってもよい。さらに、一定時間毎や空調負荷の高低に応じて室外機１と外気熱回収機２ｄとの運転を交互に切り替え、室外機１からの冷熱と外気熱回収機２ｄから回収した冷熱との交互で室内機２ａ、２ｂの冷房を賄ってもよい。
【００９３】
また、図１０に示す動作では、ポンプ２１ａ、２１ｂの両方から出た熱媒体が、室内機２ａ、２ｂ、および外気熱回収機２ｄに流入し、ポンプ２１ａ、２１ｂの両方に分かれて戻るとしたが、ポンプ２１ａから出た熱媒体が室内機２ａ、２ｂに流れ、ポンプ２１ｂから出た熱媒体が外気熱回収機２ｄに流れるようにし、所定の間隔でポンプ２１ａから出た熱媒体が外気熱回収機２ｄ、ポンプ２１ｂから出た熱媒体が室内機２ａ、２ｂへの流れに切り替わるようにしてもよい。なお、上記所定の間隔は、熱媒体の温度の検知値で切り替えてもよい。
【００９４】
［全暖房運転［外気熱回収機作動時］モード（パターン８）］
図１１は、図２に示す空気調和装置１００の全暖房運転（外気補助のみ）モード時（パターン８）における冷媒の流れを示す冷媒回路図である。パターン８は、パターン３に対して室外機１が停止、外気熱回収機２ｄが運転している場合である。
外気熱回収機２ｄの吸熱運転によって、外気熱回収用熱交換器２６ｄで外気から吸熱することで熱媒体は暖められ、その熱媒体がポンプ２１ａ、２１ｂによって熱媒体配管５内を流動させられることになる。ポンプ２１ａ、２１ｂで加圧されて流出した熱媒体は、第２熱媒体流路切替装置２３ａ、２３ｂを介して、利用側熱交換器２６ａ、２６ｂに流入する。そして、熱媒体が利用側熱交換器２６ａ、２６ｂで室内空気に放熱することで、室内空間７の暖房を行う。
なお、外気熱回収機２ｄが動作する条件としては、室内機２ａ、２ｂの運転状態、および吸い込み温度３９ａ１、３９ｂ１と、吸い込み温度３９ｄ１と、の差により決定する。例えば、室内機２ａ、２ｂがサーモＯＦＦ状態、かつ吸い込み温度３９ａ１、３９ｂ１が設定温度−２℃以下の間、吸い込み温度３９ａ１、３９ｂ１が、吸い込み温度３９ｄ１より５℃以上低い場合に動作させる。また、この場合の熱媒体の流れは、ポンプ２１ａ、２１ｂの両方から出た熱媒体が、室内機２ａ、２ｂ、および外気熱回収機２ｄに流入し、ポンプ２１ａ、２１ｂの両方に分かれて戻る。
【００９５】
なお、図１１では室外機１が停止し、外気熱回収機２ｄから回収した温熱のみで、室内機２ａ、２ｂの暖房を賄っていたが、室外機１を運転することで、利用側熱交換器２６ａ、２６ｂのどちらか一方を室外機１からの温熱、もう一方を外気熱回収機２ｄから回収した温熱で暖房を賄ってもよい。さらに、一定時間毎や空調負荷の高低に応じて室外機１と外気熱回収機２ｄとの運転を交互に切り替え、室外機１からの冷熱と外気熱回収機２ｄから回収した冷熱との交互で室内機２ａ、２ｂの冷房を賄ってもよい。
【００９６】
また、図１１に示す動作では、ポンプ２１ａ、２１ｂの両方から出た熱媒体が、室内機２ａ、２ｂ、および外気熱回収機２ｄに流入し、ポンプ２１ａ、２１ｂの両方に分かれて戻るとしたが、ポンプ２１ａから出た熱媒体が室内機２ａ、２ｂに流れ、ポンプ２１ｂから出た熱媒体が外気熱回収機２ｄに流れるようにし、所定の間隔でポンプ２１ａから出た熱媒体が外気熱回収機２ｄ、ポンプ２１ｂから出た熱媒体が室内機２ａ、２ｂへの流れに切り替わるようにしてもよい。なお、上記所定の間隔は、熱媒体の温度の検知値で切り替えてもよい。
【００９７】
［冷房主体運転［外気熱回収機作動時］モード（パターン９）］
図１２は、図２に示す空気調和装置１００の冷房主体運転（外気補助あり）モード時（パターン９）における冷媒の流れを示す冷媒回路図である。パターン９は、パターン２に対して停止していた室内機２ｂおよび外気熱回収機２ｄが、ともに運転している場合である。
熱媒体間熱交換器１５ａで熱源側冷媒の冷熱が熱媒体に伝えられ、冷やされた熱媒体がポンプ２１ａによって熱媒体配管５内を流動させられることになる。ポンプ２１ａで加圧されて流出した熱媒体は、第２熱媒体流路切替装置２３ａを介して、利用側熱交換器２６ａに流入する。そして、熱媒体が利用側熱交換器２６ａで室内空気から吸熱することで、室内空間７の冷房を行う。
一方、外気熱回収機２ｄの吸熱運転によって、外気熱回収用熱交換器２６ｄで外気から吸熱することで熱媒体は暖められ、その熱媒体がポンプ２１ｂによって熱媒体配管５内を流動させられることになる。ポンプ２１ｂで加圧されて流出した熱媒体は、第２熱媒体流路切替装置２３ｂを介して、利用側熱交換器２６ｂに流入する。そして、熱媒体が利用側熱交換器２６ｂで室内空気に放熱することで、室内空間７の暖房を行う。
なお、外気熱回収機２ｄが動作する条件としては、室内機２ｂの運転状態、および吸い込み温度３９ｂ１と、吸い込み温度３９ｄ１との差により決定する。例えば、室内機２ｂがサーモＯＦＦ状態、かつ吸い込み温度３９ｂ１が設定温度−２℃以下の間、吸い込み温度３９ｂ１が外気熱回収機２ｄの吸い込み温度３９ｄ１より５℃以上低い場合に動作させる。
【００９８】
［暖房主体運転［外気熱回収機作動時］モード（パターン１０）］
図１３は、図２に示す空気調和装置１００の暖房主体運転（外気補助あり）モード時（パターン１０）における冷媒の流れを示す冷媒回路図である。パターン１０は、パターン４に対して停止していた室内機２ａおよび外気熱回収機２ｄが、ともに運転している場合である。
熱媒体間熱交換器１５ｂで熱源側冷媒の温熱が熱媒体に伝えられ、暖められた熱媒体がポンプ２１ｂによって熱媒体配管５内を流動させられることになる。ポンプ２１ｂで加圧されて流出した熱媒体は、第２熱媒体流路切替装置２３ｂを介して、利用側熱交換器２６ｂに流入する。そして、熱媒体が利用側熱交換器２６ｂで室内空気に放熱することで、室内空間７の暖房を行う。
一方、外気熱回収機２ｄの吸冷運転によって、外気熱回収用熱交換器２６ｄで外気から吸冷することで熱媒体は冷やされ、その熱媒体がポンプ２１ａによって熱媒体配管５内を流動させられることになる。ポンプ２１ａで加圧されて流出した熱媒体は、第２熱媒体流路切替装置２３ａを介して、利用側熱交換器２６ａに流入する。そして、熱媒体が利用側熱交換器２６ａで室内空気から吸熱することで、室内空間７の冷房を行う。
なお、外気熱回収機２ｄが動作する条件としては、室内機２ａの運転状態、および吸い込み温度３９ａ１と、吸い込み温度３９ｄ１と、の差により決定する。例えば、室内機２ａがサーモＯＦＦ状態、かつ吸い込み温度３９ａ１が設定温度＋２℃以下の間、吸い込み温度３９ａ１が、吸い込み温度３９ｄ１より５℃以上高い場合に動作させる。
【００９９】
［全冷房運転［換気熱回収機作動時］モード（パターン１１）］
図１４は、図２に示す空気調和装置１００の全冷房運転（熱回収あり）モード時（パターン１１）における冷媒の流れを示す冷媒回路図である。パターン１１は、パターン２に対して停止していた換気熱回収機２ｃが運転している場合である。このとき、ポンプ２１ａから出た熱媒体が室内機２ａに流れ、ポンプ２１ｂから出た熱媒体が換気熱回収機２ｃに流れるようにし、室内機２ａの負荷増加時に備えた熱媒体への蓄冷機能とする。そして、室内機２ａの負荷が増加したら換気熱回収機２ｃで蓄冷された熱媒体を室内機２ａに流す。
なお、換気熱回収機２ｃが動作する条件としては、換気熱回収機２ｃの換気機能が動作され、吸い込み温度３９ｃ１と外気温度４０ｃとの差により決定する。例えば、吸い込み温度３９ｃ１が外気温度４０ｃより５℃以上低い場合に熱媒体を流す。
【０１００】
［全暖房運転［換気熱回収機作動時］モード（パターン１２）］
図１５は、図２に示す空気調和装置１００の全暖房運転（熱回収あり）モード時（パターン１２）における冷媒の流れを示す冷媒回路図である。パターン１２は、パターン４に対して停止していた換気熱回収機２ｃが運転している場合である。このとき、ポンプ２１ｂから出た熱媒体が室内機２ａに流れ、ポンプ２１ａから出た熱媒体が換気熱回収機２ｃに流れるようにし、室内機２ａの負荷増加時に備えた熱媒体への蓄熱機能とする。そして、室内機２ａの負荷が増加したら換気熱回収機２ｃで蓄熱された熱媒体を室内機２ａに流す。
なお、換気熱回収機２ｃが動作する条件としては、換気熱回収機２ｃの換気機能が動作され、吸い込み温度３９ｃ１と外気温度４０ｃとの差により決定する。例えば、吸い込み温度３９ｃ１が外気温度４０ｃより５℃以上高い場合に熱媒体を流す。
【０１０１】
図１６は、本発明の実施の形態に係る空気調和装置１００の運転モード切替フローチャートの一例である。
以下に、各運転モードの実施パターンの変更例を図１６に沿って説明する。
なお、室内機２のサーモＯＮ条件は、室内機２の吸い込み温度３９ａ１、３９ａ２が設定温度＋２℃以上、室内機２のサーモＯＦＦ条件は、室内機２の吸い込み温度３９ａ１、３９ａ２が設定温度未満とする。
室内機リモコンを１台以上作動させたとき（ステップ１）、室内機２がすべて冷房運転しているかを判定する（ステップ２）。ステップ２を満足しない場合は、ステップ１４へ進む。ステップ２を満足した場合は、それら室内機２がすべてサーモＯＦＦかを判定し（ステップ３）、ステップ３を満足した場合は、外気温度４０ｃが室内温度（室内機２の吸い込み温度３９ａ１、３９ａ２）−５℃未満かを判定し（ステップ４）、ステップ４を満足した場合は、全冷房（外気熱回収機２ｄ運転、室外機１停止）のパターン７とする（ステップ５）。ステップ４を満足しない場合は、通常のサーモＯＦＦ状態（外気熱回収機２ｄ停止、室外機１停止）とする（ステップ６）。
ステップ３を満足しない場合は、冷房サーモＯＮの室内機２が５０％超（過半数）あるかを判定し（ステップ７）、ステップ７を満足した場合は、パターン１とする（ステップ８）。ステップ７を満足しない場合は、外気熱回収機２ｄで検知する外気温度４０ｃが室内温度（室内機２の吸い込み温度３９ａ１、３９ａ２）−５℃未満かを判定し（ステップ９）、ステップ９を満足した場合は、パターン７とする（ステップ１０）。
ステップ９を満足しない場合は、外気熱回収機２ｄで検知する外気温度４０ｃが室内温度（室内機２の吸い込み温度３９ａ１、３９ａ２）＋５℃超かを判定し（ステップ１１）、ステップ１１を満足した場合は、パターン１１（ステップ１２）、ステップ１１を満足しない場合は、パターン２で運転する（ステップ１３）。
【０１０２】
上記ステップ２を満足しない場合は、室内機２がすべて暖房運転しているかを判定する（ステップ１４）。ステップ１４を満足しない場合は、ステップ２６へ進む。ステップ１４を満足した場合は、それら室内機２がすべてサーモＯＦＦかを判定し（ステップ１５）、ステップ１５を満足した場合は、外気温度４０ｃが室内温度（室内機２の吸い込み温度３９ａ１、３９ａ２）＋５℃超かを判定し（ステップ１６）、ステップ１６を満足した場合は、全暖房（外気熱回収機ＯＮ／室外機ＯＦＦ）のパターン８とする（ステップ１８）。ステップ１６を満足しない場合は、通常のサーモＯＦＦ状態（外気熱回収機２ｄ停止、室外機１停止）とする（ステップ１７）。
ステップ１５を満足しない場合は、暖房サーモＯＮの室内機２が５０％超（過半数）あるかを判定し（ステップ１９）、ステップ１９を満足した場合は、パターン３とする（ステップ２０）。ステップ１９を満足しない場合は、外気温度４０ｃが室内温度（室内機２の吸い込み温度３９ａ１、３９ａ２）＋５℃超かを判定し（ステップ２１）、ステップ２１を満足した場合は、パターン８とする（ステップ２２）。
ステップ２１を満足しない場合は、外気温度４０ｃが室内温度（室内機２の吸い込み温度３９ａ１、３９ａ２）−５℃未満かを判定し（ステップ２３）、ステップ２３を満足した場合は、パターン１２（ステップ２４）、ステップ２３を満足しない場合は、パターン４で運転する（ステップ２５）。
【０１０３】
上記ステップ１４を満足しない場合は、冷房運転と暖房運転が混在しているかを判定する（ステップ２６）。ステップ２６を満足しない場合は、ステップ２へ戻る。ステップ２６を満足した場合は、暖房運転の室内機２がすべてサーモＯＦＦかを判定し（ステップ２７）、ステップ２７を満足した場合は、冷房運転の室内機２がすべてサーモＯＦＦかを判定する（ステップ２８）。ステップ２８を満足した場合は、外気温度４０ｃが室内温度（室内機２の吸い込み温度３９ａ１、３９ａ２）＋５℃超かを判定し（ステップ２９）、ステップ２９を満足した場合は、全暖房（外気熱回収機ＯＮ／室外機ＯＦＦ）のパターン８とする（ステップ３０）。ステップ２９を満足しない場合は、外気温度４０ｃが室内温度（室内機２の吸い込み温度３９ａ１、３９ａ２）−５℃未満かを判定し（ステップ３１）、ステップ３１を満足した場合は、パターン７（ステップ３２）とする。ステップ３１を満足しない場合は、通常のサーモＯＦＦ状態（外気熱回収機２ｄ停止、室外機１停止）とする（ステップ３３）。ステップ２８を満足しない場合は、パターン２とする（ステップ３４）。
ステップ２７を満足しない場合は、冷房運転の室内機２がすべてサーモＯＦＦかを判別し（ステップ３５）、ステップ３５を満足した場合は、パターン４とする（ステップ３６）。ステップ３５を満足しない場合は、冷房室内機容量が暖房室内機容量を超えるかを判別し（ステップ３７）、ステップ３７を満足した場合は、外気温度４０ｃが室内温度（室内機２の吸い込み温度３９ａ１、３９ａ２）＋５℃超かを判定し（ステップ３８）、ステップ３８を満足した場合は、パターン９とする（ステップ３９）。ステップ３８を満足しない場合は、パターン５（ステップ４０）とする。
ステップ３７を満足しない場合は、外気温度４０ｃが室内温度（室内機２の吸い込み温度３９ａ１、３９ａ２）−５℃未満かを判定し（ステップ４１）、ステップ４１を満足した場合は、パターン１０とする（ステップ４２）、ステップ４１を満足しない場合は、パターン６（ステップ４３）とする。
【０１０４】
以上のように、本実施の形態に係る空気調和装置１００によれば、運転状況に応じて運転モード（パターン）を変更することで、効率のよい運転ができる。
また、室外機１の熱源側冷媒と換気熱回収機２ｃおよび外気熱回収機２ｄの他熱源を併用することにより、負荷と効率の両方を満たした空調が可能である。
【符号の説明】
【０１０５】
１  室外機、２  室内機、２ａ〜２ｂ  室内機、２ｃ 換気熱回収機、２ｄ  外気熱回収機、３  熱媒体変換機、４  冷媒配管、４ａ  第１接続配管、４ｂ  第２接続配管、５  熱媒体配管、６  室外空間、７  室内空間、８  空間、９  建物、１０  圧縮機、１１  第１冷媒流路切替装置、１２  熱源側熱交換器、１３ａ〜１３ｄ  逆止弁、１５  熱媒体間熱交換器、１５ａ、１５ｂ  熱媒体間熱交換器、１６  絞り装置、１６ａ、１６ｂ  絞り装置、１７ａ、１７ｂ  開閉装置、１８  第２冷媒流路切替装置、１８ａ、１８ｂ  第２冷媒流路切替装置、１９  アキュムレーター、２１  ポンプ、２１ａ、２１ｂ  ポンプ、２２  第１熱媒体流路切替装置、２２ａ〜２２ｄ  第１熱媒体流路切替装置、２３  第２熱媒体流路切替装置、２３ａ〜２３ｄ  第２熱媒体流路切替装置、２５  熱媒体流量調整装置、２５ａ〜２５ｄ  熱媒体流量調整装置、２６  利用側熱交換器、２６ａ〜２６ｂ  利用側熱交換器、２６ｃ  熱回収用熱交換器、２６ｄ  外気熱回収用熱交換器、 ３１  第１温度センサー、３１ａ、３１ｂ  第１温度センサー、３４  第２温度センサー、３４ａ〜３４ｄ  第２温度センサー、３５  第３温度センサー、３５ａ〜３５ｄ  第３温度センサー、３６  第１圧力センサー、３７  第２圧力センサー、３８ 第３圧力センサー、３９ａ〜３９ｄ  吸込空気温度検知装置、３９ａ１〜３９ｄ１  吸い込み温度、４０  外気温度検知装置、４０ｃ  外気温度、５０ 第４温度センサー、５２  （熱媒体変換機）制御装置、５２ａ  （熱媒体変換機）演算装置、５７ （室外機）制御装置、５７ａ （室外機）演算装置、１００  空気調和装置、Ａ  熱源側冷媒循環回路、Ｂ  熱媒体循環回路。
【図１】
0005996089.tif 000002
【図２】
0005996089.tif 000003
【図３】
0005996089.tif 000004
【図４】
0005996089.tif 000005
【図５】
0005996089.tif 000006
【図６】
0005996089.tif 000007
【図７】
0005996089.tif 000008
【図８】
0005996089.tif 000009
【図９】
0005996089.tif 000010
【図１０】
0005996089.tif 000011
【図１１】
0005996089.tif 000012
【図１２】
0005996089.tif 000013
【図１３】
0005996089.tif 000014
【図１４】
0005996089.tif 000015
【図１５】
0005996089.tif 000016
【図１６】
0005996089.tif 000017